(57)【要約】【課題】１２セグメント放送と１セグメント放送とをスムーズに切り替えることができ、更に消費電力の少ない地上デジタル放送受信装置を提供すること。【解決手段】外部アンテナを介して１セグメント放送と、１２セグメント放送とが受信される。時差検出部３００は、１セグＤｅｍｕｘ部１０４から出力される画像データと、１２セグＤｅｍｕｘ部２０４から出力される画像データに基づいて再生時刻の時差を検出する。そして、検出された時差にもとづいて、復号タイミング制御部３０２は、１セグメント放送と、１２セグメント放送との再生タイミングの同期を行う。【選択図】図２
2009152821.tif 000002
【特許請求の範囲】
【請求項１】
１セグメント放送と、１２セグメント放送とを含む地上デジタル放送の放送波を受信する受信手段と、
前記受信手段により受信された放送波から画像信号及び音声信号を復号する復号手段と、
前記受信手段により受信された放送波の受信状態に応じて前記１セグメント放送と、前記１２セグメント放送とを選択して出力する選択出力手段と、
を備えた地上デジタル放送受信装置において、
前記受信手段により受信された１セグメント放送と、前記１２セグメント放送との再生時刻の時差を検出する再生時差検出手段と、
前記再生時差検出手段により検出された再生時刻の時差に基づいて、１セグメント放送と、１２セグメント放送との再生タイミングを同期する再生タイミング同期手段と、
を有し、
前記復号手段は、前記再生タイミング同期手段により同期された再生タイミングに基づいて前記放送波から画像信号及び音声信号を復号することを特徴とする地上デジタル放送受信装置。
【請求項２】
前記再生時差検出手段は、
前記放送波に含まれるＩフレームを検出し、Ｉフレームの周期を決定する周期決定手段と、
前記周期決定手段により決定された周期以外のタイミングにて検出されるＩフレームの再生時刻を検出する再生時刻検出手段と、
を有し、
前記再生時刻検出手段により１セグメント放送における再生時刻と、１２セグメント放送における再生時刻とを検出し、１セグメント放送における再生時刻と、１２セグメント放送における再生時刻との時差を検出手段であることを特徴とする請求項１に記載の地上デジタル放送受信装置。
【請求項３】
前記選択出力手段は、前記受信手段により受信された地上デジタル放送の受信信号のＣＮ、受信レベル又は誤り率に応じて一の放送を選択して出力する手段であることを特徴とする請求項１又は２に記載の地上デジタル放送受信装置。
【請求項４】
前記再生タイミング同期手段は、１セグメント放送及び１２セグメント放送において、前記再生時刻の時差に基づいて再生時刻を決定し、１セグメント放送と１２セグメント放送との同期を行うことを特徴とする請求項１から３のいずれか一項に記載の地上デジタル放送受信装置。
【請求項５】
前記復号手段は、前記選択出力手段により選択されている放送波のみを復号することを特徴とする請求項１から４のいずれか一項に記載の地上デジタル放送受信装置。
【発明の詳細な説明】
【技術分野】
【０００１】
この発明は、１セグメント放送と、１２セグメント放送と含む地上デジタル放送の放送波を受信する受信手段と、前記受信手段により受信された放送波から画像信号及び音声信号を復調する復調手段と、前記受信手段により受信された放送波の受信状態に応じて前記１セグメント放送と、前記１２セグメント放送とを選択して出力する選択出力手段と、を備えた地上デジタル放送受信装置に関する。
【背景技術】
【０００２】
２００３年よりわが国において地上デジタル放送が開始され、当該地上デジタル放送を受信する地上デジタル放送受信装置が知られている。地上デジタル放送は、１２セグメント放送（１２セグ）を使用したハイビジョン放送が可能であり、高画質な映像が提供可能である。しかし、高画質な映像を提供するために、伝送するビットレートが高く、受信に必要な受信レベルや所要ＣＮが高いため、固定用の受信が中心であり、移動端末の受信には向いていない。特に携帯電話搭載のアンテナでは、受信可能な視聴エリアが非常に狭くなってしまう。
【０００３】
そこで、携帯電話等の移動端末での受信に特化したデジタル放送として、デジタル放送のうち、１セグメント放送を利用するいわゆる１セグ放送が２００６年に開始された。この１セグ放送は、現在、固定用地上デジタル放送と同じ時間に同じ番組を放送するサイマル放送を行なっている。
【０００４】
１セグ放送は移動端末での受信を前提としているため、映像・音声ともビットレートや解像度が低く、それゆえ伝送レートが低い場合でも受信・視聴が可能となる。したがって、通常のデジタル放送と比較して、視聴エリアが広くなる。しかしながら、そのため通常の１２セグを利用するデジタル放送と比較して、画質が悪く、またフレームレートが低いためこま落ちするなどの欠点がある。
【０００５】
現在では、これら２つの放送の特長を生かし、受信レベルが十分な場所では固定用の１２セグ放送を受信し、１２セグ放送が受信できないような受信レベルが低い場所では１セグ放送に切り替えて受信を行なう受信端末も市販されており、カーナビゲーション等において適用されている。
【０００６】
しかし、１２セグ放送と１セグ放送ではタイムラグがあり、およそ２秒ほど１セグ放送が遅れてしまう。これらのタイムラグは、アナログ放送と地上デジタル放送のサイマル放送でも同様である。
【０００７】
したがって、放送を切り替えた場合のタイムラグによる違和感を解消するために、例えば、２つの放送の再生された映像音声信号の相関を取ることで２つの放送受信を同期させ、切り替えた時に情報内容の欠損や重複が無い方法が提案されている（例えば、特許文献１参照）。
【特許文献１】特開２００６−２９５６６２号公報
【発明の開示】
【発明が解決しようとする課題】
【０００８】
しかしながら、特許文献１に記載された方法では、２つの放送を両方再生する必要があり、地上デジタル放送とワンセグ放送のサイマル受信に適用した場合は、両方の放送を常にデコード処理する必要がある。両方の放送を常にデコード処理することは、処理の負荷がかかるため、携帯電話等の処理端末の能力が制約されている場合には、実現することができなかった。
【０００９】
さらに、携帯電話等の移動端末は、電源に制約があるため、両方の放送を常にデコード処理を行った場合、消費電力が大きくなり、視聴時間が極端に短くなってしまうといった問題点があった。
【００１０】
上述した課題に鑑み、本発明が目的とするところは、１２セグメント放送と１セグメント放送とをスムーズに切り替えることができ、更に消費電力の少ない地上デジタル放送受信装置を提供することである。
【課題を解決するための手段】
【００１１】
上記課題を解決するために、本発明における地上デジタル放送受信装置は、１セグメント放送と、１２セグメント放送とを含む地上デジタル放送の放送波を受信する受信手段と、前記受信手段により受信された放送波から画像信号及び音声信号を復号する復号手段と、前記受信手段により受信された放送波の受信状態に応じて前記１セグメント放送と、前記１２セグメント放送とを選択して出力する選択出力手段と、を備えた地上デジタル放送受信装置において、前記受信手段により受信された１セグメント放送と、前記１２セグメント放送との再生時刻の時差を検出する再生時差検出手段と、前記再生時差検出手段により検出された再生時刻の時差に基づいて、１セグメント放送と、１２セグメント放送との再生タイミングを同期する再生タイミング同期手段と、を有し、前記復号手段は、前記再生タイミング同期手段により同期された再生タイミングに基づいて前記放送波から画像信号及び音声信号を復号することを特徴とする。
【００１２】
また、本発明における地上デジタル放送受信装置において、前記再生時差検出手段は、前記放送波に含まれるＩフレームを検出し、Ｉフレームの周期を決定する周期決定手段と、前記周期決定手段により決定された周期以外のタイミングにて検出されるＩフレームの再生時刻を検出する再生時刻検出手段と、を有し、前記再生時刻検出手段により１セグメント放送における再生時刻と、１２セグメント放送における再生時刻とを検出し、１セグメント放送における再生時刻と、１２セグメント放送における再生時刻との時差を検出手段であることを特徴とする。
【００１３】
また、本発明における地上デジタル放送受信装置において、前記選択出力手段は、前記受信手段により受信された地上デジタル放送の受信信号のＣＮ、受信レベル又は誤り率に応じて一の放送を選択して出力する手段であることを特徴とする。
【００１４】
また、本発明における地上デジタル放送受信装置において、前記再生タイミング同期手段は、１セグメント放送及び１２セグメント放送において、前記再生時刻の時差に基づいて再生時刻を決定し、１セグメント放送と１２セグメント放送との同期を行うことを特徴とする。
【００１５】
また、本発明における地上デジタル放送受信装置において、前記復号手段は、前記選択出力手段により選択されている放送波のみを復号することを特徴とする。
【発明の効果】
【００１６】
本発明によれば、１セグメント放送と、１２セグメント放送を受信し、１セグメント放送と、１２セグメント放送との再生時刻の時差を検出する。そして、検出された再生時刻の時差に基づいて、１セグメント放送と、１２セグメント放送との再生タイミングを同期し、同期された再生タイミングに基づいて放送波が復号される。したがって、１セグメント放送と、１２セグメント放送とを切り替えて出力した場合であっても、再生するタイミングが同期されていることから、違和感なく放送を切り替えて選択することができる。
【００１７】
また、１セグメント放送と、１２セグメント放送との再生時刻の時差を検出する場合に、地上波に含まれるＩフレーム（すなわち、１セグメント放送及び１２セグメント放送の画像データに含まれるＩフレーム）に基づいて検出することができる。したがって、受信された放送波を総て復号することなく、再生時刻の時差を検出することが可能となる。
【００１８】
また、受信手段による受信された地上デジタル放送の受信信号のＣＮ、受信レベル又は誤り率に応じて位置の放送が選択される。例えば、受信レベルが所定のレベル以上の場合は、１２セグメント放送が受信可能であるから、高画質な１２セグメント放送を選択する。他方、受信レベルが所定のレベル以下になった場合には、１セグメント放送を選択することにより受信エリアを広くすることが可能となる。
【００１９】
また、１セグメント放送及び１２セグメント放送において、再生時刻の時差に基づいて再生時刻を決定して同期を行うことができるようになる。
【００２０】
また、選択されている放送波のみ復号することにより、選択されていない放送波の復号は行わないようにすることができる。したがって、復号を行わないことにより、消費電力を抑えることが可能となる。
【発明を実施するための最良の形態】
【００２１】
つづいて、本発明における地上デジタル放送受信装置を、携帯電話に適用した場合における実施形態について、図を用いて説明する。
【００２２】
［全体構成］
図１は、本実施形態における携帯電話１の機能構成を説明するための図である。携帯電話１は、デジタル放送受信部２０と、電話制御部３０と、入力部４０と、スピーカ部５０と、ＬＣＤ部６０とがバスを介して制御部１０に接続されている。
【００２３】
制御部１０は、携帯電話１を制御する機能部であり、携帯電話１に記憶されているプログラムを実行することにより各処理を実現する機能部である。
【００２４】
デジタル放送受信部２０は、外部アンテナを介して受信した地上デジタル放送波をデコードして画像データをＬＣＤ６０に、音声データをスピーカ部５０に出力する機能部である。なお、デジタル放送受信部２０の詳細な機能は、後述する。
【００２５】
電話制御部３０は、外部アンテナを介して電話基地局（不図示）と通信を行うことにより、各電話機能を提供する機能部である。なお、本発明と電話機能は直接関係がないため、その詳細な説明を省略する。
【００２６】
スピーカ部５０は、デジタル放送受信部２０から入力された音声信号を出力するための機能部である。本実施形態では、スピーカとして説明するが、例えばイヤフォン等の音声が出力可能な他の装置を利用しても良いことは勿論である。
【００２７】
ＬＣＤ部６０は、携帯電話１における各種状態等を表示するための表示部である。また、デジタル放送受信部２０から入力された画像信号を表示するための機能部である。なお、本実施形態においてはＬＣＤとして説明したが、例えば有機ＥＬ等の他の映像表示装置を利用しても良いことは勿論である。
【００２８】
［デジタル放送受信部の構成］
つづいて、デジタル放送受信部２０について図２を用いて説明する。図２に示すように、デジタル放送受信部２０は、１セグメント放送（１セグ放送）を受信し、復調するための１セグ受信部（１セグチューナ部１００、１セグデジタル復調部１０２、１セグＤｅｍｕｘ部１０４、１セグ音声復号部１０６及び１セグ画像復号部１０８）と、１２セグメント放送（１２セグ放送）を受信し、復調するための１２セグ受信部（１２セグチューナ部２００、１２セグデジタル復調部２０２、１２セグＤｅｍｕｘ部２０４、１２セグ音声復号部２０６及び１２セグ画像復号部２０８）と、時差検出部３００と、復号タイミング制御部３０２と、音声出力切替部３０４と、画像出力切替部３０６とを備えて構成されている。
【００２９】
１セグチューナ部１００は、接続されているアンテナを介して受信された地上デジタル放送波から、ユーザが所望する１セグ放送を抽出し、受信信号として１セグデジタル復調部１０２に出力する機能部である。なお、受信時に、受信信号のＣＮや受信レベルを制御部１０に出力する。
【００３０】
１セグデジタル復調部１０２は、１セグチューナ部１００から入力された受信信号をデジタルデータに復調し、１セグＤｅｍｕｘ部１０４に出力する機能部である。１セグデジタル復調部１０２は、受信信号を復調すると同時に、誤り率を制御部１０に出力する。
【００３１】
１セグＤｅｍｕｘ部１０４は、１セグデジタル復調部１０２から入力されたデジタルデータを、画像データと、音声データとに多重分離して出力する。ここで、音声データは、１セグ音声復号部１０６に、画像データは、１セグ画像復号部１０８に出力される。また、画像データは、時差検出部３００にも出力されることとなる。
【００３２】
１セグ音声復号部１０６は、１セグＤｅｍｕｘ部１０４から入力された音声データから音声信号を復号し、音声出力切替部３０４に出力する機能部である。ここで、１セグ音声復号部１０６は、復号タイミング制御部３０２から出力されるタイミング信号に基づいて、音声データを復号することとなる。なお、タイミング信号により復号が開始されるまでの間は、１セグ音声復号部１０６に含まれるバッファ領域に、音声データが一時的に記憶されることとなる。
【００３３】
１セグ画像復号部１０８は、１セグＤｅｍｕｘ部１０４から入力された画像データから画像信号を復号し、画像出力切替部３０６に出力する機能部である。ここで、１セグ画像復号部１０８は、復号タイミング制御部３０２から出力されるタイミング信号（復号する為の同期信号）に基づいて、画像データを復号することとなる。なお、タイミング信号により復号が開始されるまでの間は、１セグ画像復号部１０８に含まれるバッファ領域に、画像データが一時的に記憶されることとなる。
【００３４】
１２セグチューナ部２００は、接続されているアンテナを介して受信された放送波から、ユーザが所望する１２セグ放送を抽出し、受信信号として１２セグデジタル復調部２０２に出力する機能部である。なお、受信時に、受信信号のＣＮや受信レベルを制御部１０に出力する。
【００３５】
１２セグデジタル復調部２０２は、１２セグチューナ部２００から入力された受信信号をデジタルデータに復調し、１２セグＤｅｍｕｘ部２０４に出力する機能部である。１２セグデジタル復調部２０２は、受信信号を復調すると同時に、誤り率を制御部１０に出力する。
【００３６】
１２セグＤｅｍｕｘ部２０４は、１２セグデジタル復調部２０２から入力されたデジタルデータを、画像データと、音声データとに多重分離して出力する。ここで、音声データは、１２セグ音声復号部２０６に、画像データは、１２セグ画像復号部２０８に出力される。また、画像データは、時差検出部３００にも出力されることとなる。
【００３７】
１２セグ音声復号部２０６は、１２セグＤｅｍｕｘ部２０４から入力された音声データから音声信号を復号し、音声出力切替部３０４に出力する機能部である。ここで、１２セグ音声復号部２０６は、復号タイミング制御部３０２から出力されるタイミング信号に基づいて、音声データを復号することとなる。なお、タイミング信号により復号が開始されるまでの間は、１２セグ音声復号部２０６に含まれるバッファ領域に、音声データが一時的に記憶されることとなる。
【００３８】
１２セグ画像復号部２０８は、１２セグＤｅｍｕｘ部２０４から入力された画像データから画像信号を復号し、画像出力切替部３０６に出力する機能部である。ここで、１２セグ画像復号部２０８は、復号タイミング制御部３０２から出力されるタイミング信号に基づいて、画像データを復号することとなる。なお、タイミング信号により復号が開始されるまでの間は、１２セグ画像復号部２０８に含まれるバッファ領域に、画像データが一時的に記憶されることとなる。
【００３９】
時差検出部３００は、１セグＤｅｍｕｘ部１０４から入力された画像データと、１２セグＤｅｍｕｘ部２０４から入力された画像データとにおける時差（ずれ）を検出する機能部である。詳細は後述するが、各画像データに含まれるＩフレームのうち、シーンチェンジとなるＩフレームの位置を比較することにより、１２セグと１セグとの画像データとの時差を検出する。この検出された時差は、時差データとして復号タイミング制御部３０２に出力される。
【００４０】
ここで、シーンチェンジとなるＩフレームは、今までの画像データと明らかに場面（シーン）が異なるＩフレームであり、通常周期的に挿入されるＩフレームの間隔とは異なる間隔で挿入されるＩフレームである。
【００４１】
復号タイミング制御部３０２は、時差検出部３００から入力された時差データに基づいて、各画像復号部及び各音声復号部の復号タイミングを制御する機能部である。時差データにもとづいて、タイミング信号を生成し、１セグ音声復号部１０６と、１セグ画像復号部１０８と、１２セグ音声復号部２０６と、１２セグ画像復号部２０８とに出力される。
【００４２】
音声出力切替部３０４は、１セグ音声復号部１０６と、１２セグ音声復号部２０６とから、画像信号が入力される。音声出力切替部３０４は、制御部１０の指示に従い、選択された復号部から入力された音声信号をスピーカ部５０に出力する。また、画像出力切替部３０６は、１セグ画像復号部１０８と、１２セグ画像復号部２０８とから、画像信号が入力される。画像出力切替部３０６は、制御部１０の指示に従い、選択された復号部から入力された画像信号をＬＣＤ部６０に出力する。
【００４３】
ここで、音声出力切替部３０４及び画像出力切替部３０６における切替制御は、制御部１０により行われる。すなわち、制御部１０は、１セグチューナ部１００及び１２セグチューナ部２００から入力される受信信号のＣＮや受信レベル、１セグデジタル復調部１０２及び１２セグデジタル復調部２０２から入力される誤り率等に基づいて切替制御を実行する。１２セグ放送の受信に問題が無い場合（視聴者が適切に視聴できる場合）は、１２セグ放送を出力する（１２セグ音声復号部２０６から出力される音声信号及び１２セグ画像復号部２０８から出力される画像信号を選択する）。また、１２セグ放送の受信が適切に行われない場合は、１セグ放送を出力する（１セグ音声復号部１０６から出力される音声信号及び１セグ画像復号部１０８から出力される画像信号を選択する）。
【００４４】
一例として、放送波の受信レベル（または受信信号の受信レベル）において判定される。所定の受信レベル以上の場合は、高画質な放送を受信可能と判定し、１２セグ放送を出力する。他方、所定の受信レベル未満の場合は、より受信範囲を広くするために、１セグ放送を出力する。
【００４５】
また、制御部１０は、音声出力切替部３０４及び画像出力切替部３０６が選択してない復号部について動作を停止する制御を実行する。例えば、１２セグ放送が選択されている場合には、１セグ音声復号部１０６及び１セグ画像復号部１０８の動作を停止させる。これにより、消費電力を抑えることが可能となる。
【００４６】
［動作処理］
つづいて、携帯電話１における１２セグ放送及び１セグ放送の同期処理について、図を用いて説明する。本処理により、１２セグ放送及び１セグ放送の同期が確立することにより、再生タイミングが同じとなる。したがって、放送波の受信状態に応じて制御部１０が１２セグ放送と１セグ放送を切り替えた場合であっても、時差がなく再生できることとなる。
【００４７】
そのため、受信レベルやＣＮ、誤り率に応じて弱電界では誤りが少なく受信エリアが広い１セグ放送を受信し、強電界では音声や画像が高品質な１２セグ放送を受信、再生するよう切り替えても放送の過不足がなく違和感ない切替が可能となる。
【００４８】
また、受信状態が悪くなった場合に、再生の不具合についてユーザが違和感を覚えやすい「音声」を１セグ放送の音声信号を出力し、違和感を覚えにくい画像については高品位な１２セグ画像を再生するといったことも可能となる。
【００４９】
まず、デジタル放送のフレームについて図３を用いて説明する。図３は、デジタル放送において利用されるＭＰＥＧ２やＨ．２６４のフレームの構造について模式的に説明した図である。ＭＰＥＧ２等のフレームは、Ｉピクチャ、Ｐピクチャ、Ｂピクチャと呼ばれるピクチャが、並んだ構造で伝送されている。ここで、Ｉピクチャはフレーム内符号化によって得られる画像であり、Ｐピクチャはフレーム間順方向予測符号化によって得られる画像であり、Ｂピクチャは双方向予測符号化によって得られる画像である。
【００５０】
また、図３は横軸に時間をとっており、図３（ａ）と（ｂ）とは連続している図である。即ち、図３（ａ）のＩピクチャ（Ｐ１４）と、図３（ｂ）のＩピクチャ（Ｐ１４）は同一フレームのピクチャである。
【００５１】
ここで、ＰピクチャやＢピクチャは、他のピクチャとの予測符号化されているのに対し、Ｉピクチャは他のピクチャと関連させないで符号化されており、それまでのピクチャに関係なく再生できる。これらは周期的に並んだ構造をとっており、Ｉピクチャは周期的に挿入されることとなる。また、画像が全面的に変わる、いわゆるシーンチェンジ（場面転換）の場合も、Ｉピクチャが挿入されることとなる。
【００５２】
つづいて、時差検出部３００が時差を算出する動作について、図４の動作フローを利用して説明する。ここでは、ステップＳ１０からステップＳ２２まで、１セグＤｅｍｕｘ部１０４から出力される画像データに基づいて処理を実行する（１セグ放送について実行する）例を説明するが、１２セグＤｅｍｕｘ部２０４から出力される画像データ（１２セグ放送）についても、同様に併せて実行されることとなる。
【００５３】
まず、１セグＤｅｍｕｘ部１０４から出力される画像データよりピクチャを読み込む（ステップＳ１０）。ここで、読み込まれたピクチャがＩピクチャであると検出された場合は（ステップＳ１２；Ｙｅｓ）、１個前のＩピクチャに対応するＰＴＳ（Presentation Time Stamp）と、現在のＩピクチャに対応するＰＴＳとの差分から、周期を算出し記録する（ステップＳ１４）。
【００５４】
ここで、ＰＴＳ（Presentation Time Stamp）とは、表示時刻情報であり、各ピクチャを再生すべき時間を記録している情報である。画像や音声を出力する場合に、ＰＴＳに記録されている時刻に画像や音声が出力されることとなる。
【００５５】
したがって、Ｉピクチャに対応するＰＴＳをそれぞれ読み出し、差分をとることにより、Ｉピクチャ間の周期を求めることができる。
【００５６】
つづいて、周期単位でＩピクチャの個数を記録する（ステップＳ１６）。例えば、ステップＳ１４において周期がｔ１と算出された場合、周期ｔ１となるＩピクチャが１個あると記録する。次に検出されたＩピクチャまでの間隔が周期ｔ１である場合には、周期ｔ１となるＩピクチャは２個と記録される。次に検出されたＩピクチャまでの間隔が周期ｔ２の場合には、周期ｔ１となるＩピクチャが２個、周期ｔ２となるＩピクチャが１個と記録される。これらの処理を、各周期毎のＩピクチャの個数が閾値ｎを超えるまで繰り返し実行される（ステップＳ１８；Ｙｅｓ→ステップＳ１０）。
【００５７】
そして、記録された周期毎のＩピクチャの個数が閾値ｎを超えた場合（ステップＳ１８；Ｙｅｓ）、個数が最も多い周期がＩピクチャの周期として決定される（ステップＳ２０）。そして、ステップＳ２０において決定された周期以外のＩピクチャのＰＴＳを、シーンが変わったＩピクチャと決定し、当該ＩピクチャのＰＴＳ（以下、「変化ＰＴＳ」という。）として記録される（ステップＳ２２）。
【００５８】
上述したステップＳ１０〜ステップＳ２２まで、放送波（画像データ）の変化ＰＴＳを記録する処理は、１セグ放送だけでなく、１２セグ放送についても同様に実行されることとなる。
【００５９】
ここで、ステップＳ１０〜ステップＳ２２までの処理について、図３を用いて具体的に説明する。まず、Ｉピクチャ（Ｐ１０）と、Ｉピクチャ（Ｐ１２）とのＰＴＳの差から、周期ｔ１と判定される（図４のステップＳ１４）。周期ｔ１で出現するＩピクチャが１こと判定され、記録される（図４のステップＳ１６）。
【００６０】
つづいて、Ｉピクチャ（Ｐ１４）と、Ｉピクチャ（Ｐ１２）とのＰＴＳの差から、周期ｔ１と判定される（図４のステップＳ１４）。周期ｔ１で出現するＩピクチャが２個と記録される。
【００６１】
つづいて、Ｉピクチャ（Ｐ１６）と、Ｉピクチャ（Ｐ１４）とのＰＴＳの差から、周期ｔ２と判定される。周期ｔ１で出現するＩピクチャが２個、周期ｔ２で出現するＩピクチャが１個と記録される。
【００６２】
つづいて、Ｉピクチャ（Ｐ１８）と、Ｉピクチャ（Ｐ１６）とのＰＴＳの差から、周期ｔ１と判定される。周期ｔ１で出現するＩピクチャが３個、周期ｔ２で出現するＩピクチャが１個と記録される。
【００６３】
ここで、閾値ｎが「２」の場合、閾値を超えたこととなり（図４のステップＳ１８；Ｙｅｓ）、最も個数の多い周期ｔ１がＩピクチャの周期として決定される（図４のステップＳ２０）。そして、決定された周期ｔ１以外の周期で出現したＩピクチャ（Ｐ１６）のＰＴＳが、変化ＰＴＳとして記録される（図４のステップＳ２２）。
【００６４】
つづいて、１２セグ放送の変化ＰＴＳに対応する１セグ放送の変化ＰＴＳを検出する（ステップＳ２４）。例えば、通常１２セグ放送と、１セグ放送とは２秒間の時間差が生じている。したがって、まず１２セグ放送のＰＴＳに２秒間加算し、その２秒間加算されたＰＴＳから所定の時間範囲内のＰＴＳを検出する。そして、検出された１セグのＰＴＳと、現在の１２セグのＰＴＳとの差から、１セグ放送と１２セグ放送との時差を検出する（ステップＳ２６）。
【００６５】
これにより、時差検出部３００は、１２セグ放送と１セグ放送との時差を検出することができる。
【００６６】
検出された時差に基づいて、復号タイミング制御部３０２は、タイミングを制御する。すなわち、検出された時差に基づいて新たなＰＴＳをオフセット（再設定）する。新たなＰＴＳがオフセットされることにより、１セグ放送及び１２セグ放送の画像の再生タイミングが一致し、同期が確立されることとなる。また、音声信号に関しても同様に処理を実行することができる。
【００６７】
このように、画像及び音声を同期させた状態で、制御部１０は、画像出力切替部３０６及び音声出力切替部３０４を、ＣＮや受信レベル、誤り率等の放送波の受信状態に応じて、ユーザがより視聴しやすくなるように選択することなる。
【００６８】
以上説明したように、本実施形態によれば、１２セグ放送と１セグ放送の両方のデコードを行なうことなく、サイマル放送を切替ながらの受信や、１セグの音声と１２セグ放送の映像を組み合わせた番組視聴が、１セグ、１２セグの両方をデコードせずに可能となる。したがって、高品質・高画質の放送を、低い消費電力にて提供することが可能となる。
【００６９】
［変形例］
本実施形態は、地上デジタル放送受信装置の一例として携帯電話に適用した場合について説明したが、例えばＰＤＡ（Personal Digital Assistant）や、移動用コンピュータ、カーナビゲーションシステム等各種電子機器に適用可能なことは勿論である。
【００７０】
また、上述した実施形態においては、Ｉピクチャの位置の比較のみで１セグと１２セグの同期を行なう方法を述べたが、別な方法として最初に両方の画像や音声をデコードしアナログ画像又は音声の相関を取って時差の検出を行い、その後の同期の維持のみをＩピクチャの位置で行なう方法も考えられる。この場合、図２のデジタル放送受信部２０の代わりに図５のデジタル放送受信部２５を適用する。
【００７１】
図５のデジタル放送受信部２５は、図１と同一の構成要素には同一の符号を付している。図１と異なるのは１セグ画像復号部１０８及び１２セグ画像復号部２０８からそれぞれ画像信号がアナログ相関器３１０に出力されている。アナログ相関器３１０は、２つの放送の例えばデコード後のアナログ画像を比較し、同一のアナログ画像が表示されるタイミングの差を検出する。そして、検出された時差は時差検出部３００に送られる。
【００７２】
時差検出部３００では、この時差にしたがってオフセットした画像データを比較し、周期的なＩフレームを取り除き一致するＩフレームを検出する。この場合、同期させるまではアナログ画像で、その後の同期の維持をＩフレームの比較で行うことになる。この場合、Ｉピクチャの周期を検出する必要がないので、上述した実施形態より、短時間で同期させることが可能である。
【図面の簡単な説明】
【００７３】
【図１】本実施形態における携帯電話の機能構成図である。
【図２】本実施形態におけるデジタル放送受信部の機能構成図である。
【図３】本実施形態における地上デジタル放送のピクチャーについて説明するための図である。
【図４】本実施形態における動作の処理について説明するための図である。
【図５】本実施形態における変形例について説明するための機能構成図である。
【符号の説明】
【００７４】
１  携帯電話
１０  制御部
２０  デジタル放送受信部
１００  １セグチューナ部
１０２  １セグデジタル復調部
１０４  １セグＤｅｍｕｘ部
１０６  １セグ音声復号部
１０８  １セグ画像復号部
２００  １２セグチューナ部
２０２  １２セグデジタル復調部
２０４  １２セグＤｅｍｕｘ部
２０６  １２セグ音声復号部
２０８  １２セグ画像復号部
３００  時差検出部
３０２  復号タイミング制御部
３０４  音声出力切替部
３０６  画像出力切替部
３０  電話制御部
４０  入力部
５０  スピーカ部
６０  ＬＣＤ部
【図１】
2009152821.tif 000003
【図２】
2009152821.tif 000004
【図３】
2009152821.tif 000005
【図４】
2009152821.tif 000006
【図５】
2009152821.tif 000007